(57)【要約】      （修正有）【課題】鼻毛カッターの改良構造を提供する。【解決手段】主に外刃筒１１と内刃軸で構成する鼻毛カッター１の改良構造である。鼻毛カッター１の外刃筒１１に間隔を開けて外スリット１１１を形成し、外刃１１０の後端にそれぞれ凸歯部品１１２を周設する。鼻毛カッター１を鼻の穴の中に入れると、鼻毛は凸歯部品１１２を介して立たせ、鼻毛をスムーズに内スリットと外スリット１１１内に入るため、互いに対応する内刃と外刃１１０により鼻毛を切る。鼻毛を切り取った後は、内スリットと外スリット１１１の間に落ちる。ブラシで掃除する際、鼻毛はコシがないため、何度も掃かなければきれいにならないため、そこで鼻毛カッター１の内刃軸の管状体の中心に、弾力性のある毛押出棒を設置する。刃の方向に押すだけで内刃或いは内スリットと外スリット１１１に落ちた鼻毛を取り除くことができ、使用上より完璧である。【選択図】図６
0003201123.tif 000002
【実用新案登録請求の範囲】
【請求項１】
外刃筒と内刃軸を含み、
該内刃軸が軸方向に該外刃筒の穴内に貫設することで、該内刃軸と該外刃筒は同じ軸に設置することになり、且つ両者の頂部の内刃と外刃もまた相対して設置し、前記内刃軸の二つの相隣する内刃の間及び前記外刃筒の二つの相隣する外刃の間にそれぞれ内スリットと外スリットを形成し、
その中で、該内刃軸は該外刃筒に相対して回転できる状態を呈し、該外刃筒の外刃の後端にそれぞれ凸歯部品を周設することを特徴とする鼻毛カッターの改良構造。
【請求項２】
前記外刃筒の両サイドに位置し、二つの対応するプレス部を枢設し、前記プレス部の間に、底部を広げた状態を維持させるねじりスプリングを設け、
該二つの対応するプレス部の左右にそれぞれ対応して第１シート本体と第２シート本体を形成し、該第２シート本体の下方に開口が下向きの定位溝を形成し、該定位溝は半径方向に該内刃軸に挿設する定位枢軸の両端に架設して定位し、且つ該外刃筒の底部に二つの対応する開放式Ｔ字型制限溝を形成し、それに定位枢軸を抵触し、
その中、該内刃軸は一つの管状体であり、該管状体の中心にリターンスプリングを具有する毛押出棒を設け、
前記毛押出棒は刃の方向に向かって押すと、内刃の上或いは内スリット、外スリットに落ちた鼻毛を押し出すことができることを特徴とする請求項１記載の鼻毛カッターの改良構造。
【請求項３】
外刃筒と内刃軸を含み、
該内刃軸が軸方向に該外刃筒の穴内に貫設することで、該内刃軸と該外刃筒は同じ軸に設置することになり、且つ両者の頂部の内刃と外刃もまた相対して設置し、前記内刃軸の二つの相隣する内刃の間及び前記外刃筒の二つの相隣する外刃の間にそれぞれ内スリットと外スリットを形成し、
その中で、該内刃軸は該外刃筒に相対して回転できる状態を呈し、該外刃筒の外刃の後端にそれぞれ凸歯部品を周設し、
該外刃筒の底部に第１固定部を延伸し、
前記内刃軸は対応して刃シャフトスリーブに挿設することで、該内刃軸の底部に形成する固定凸柱が該刃シャフトスリーブの底端から延伸し、且つ対応して該刃シャフトスリーブに挿設する内刃軸もまた、該刃シャフトスリーブに相対して回転可能な状態を呈し、
その中、該刃シャフトスリーブ内に第２固定部を設置し、該外刃筒の第１固定部に対応し、該外刃筒の第１固定部と該刃シャフトスリーブの第２固定部は分解できるよう互いに組み合わせて固定することで、該内刃軸と該外刃筒は同軸の設置を形成し、且つ両者の頂部にある内刃と外刃も対応して設置し、
更に台座を含み、該台座内部の上方に固定穴溝を凹設し、該刃シャフトスリーブの底端から延伸して出た内刃軸の固定凸柱と対応して固定して挿設することで、該刃シャフトスリーブの底端が該台座の上端に套設することを特徴とする鼻毛カッターの改良構造。
【請求項４】
前記内刃軸は一つの電動駆動装置と連結することで、該内刃軸が該電動駆動装置の制御を受けて素早く回転することができ、鼻毛を切り取るスピードと量を上げることができることを特徴とする請求項１或いは請求項３記載の鼻毛カッターの改良構造。
【請求項５】
前記凸歯部品の表面は滑らかな表面にすることができることを特徴とする請求項１或いは請求項３記載の鼻毛カッターの改良構造。
【請求項６】
前記凸歯部品の滑らかな表面には凸模様や凹模様、或いは凹凸混合模様のうちの一つを形成することを特徴とする請求項５記載の鼻毛カッターの改良構造。
【請求項７】
該刃シャフトスリーブをユーザーが片手で握り、別の手で該台座を回すだけで、該内刃軸を該外刃筒に相対して回転させることができ、それにより該内刃軸の頂部の内刃も該外刃筒の外刃に相対して回転するため、鼻毛をカットする機能に達することができることを特徴とする請求項３記載の鼻毛カッターの改良構造。
【請求項８】
前記外刃筒の第１固定部に外ねじ山を周設し、該刃シャフトスリーブ内の第２固定部は該外ねじ山と相対応する内ねじ山を周設することで、該外ねじ山と前記内ねじ山は互いに対応して螺接して錠止し、それにより該外刃筒を該刃シャフトスリーブ内に錠止することを特徴とする請求項３記載の鼻毛カッターの改良構造。
【請求項９】
更にブラシ台を含み、該ブラシ台の上端に外ねじ山の突起本体を延伸して周設し、該突起本体の頂端より上に延伸してブラシを設置し、
その中、該台座内の底部に内ねじ山を周設し、且つ該台座内の固定穴溝の下方に収納スペースを形成し、
前記ブラシ台に周設する外ねじ山を持った突起本体は、該台座内の底部にある内ねじ山に対応して螺接するものであり、該ブラシ台を該台座の底端に錠止すると共に、該ブラシ台のブラシを該台座内部の収納スペース内に収納することを特徴とする請求項３記載の鼻毛カッターの改良構造。
【請求項１０】
前記ブラシ台の形状は四方形、多辺形或いは幾何形状のうちの一つとすることを特徴とする請求項３記載の鼻毛カッターの改良構造。
【考案の詳細な説明】
【技術分野】
【０００１】
本考案は鼻毛カッターの改良構造に関し、特に鼻毛カッターを鼻の中に入れた時、鼻毛カッターの外刃筒に間隔を開けて外スリットを形成し、外刃の後端にそれぞれ凸歯部品を周設することにより、鼻毛を立たせて内スリットと外スリットの中に入らせ、内刃と外刃が互いに対応して鼻毛をカットする。鼻毛をカットした後は内刃の上或いはスリットの間に落ちるため、更に該鼻毛カッターの内刃軸管状体の中心に弾力性のある毛押出棒を設置し、刃の方向に向かって押すと、鼻毛を中から出して掃除することができ、より使いやすい鼻毛カッターの改良構造に関する。
【背景技術】
【０００２】
一般的に人は常に鼻毛が見えたり、長すぎたりして鼻の穴を擦ってしまう悩みがある。
【０００３】
鼻毛が長すぎる場合、無理に抜くと、鼻腔を傷つけるし痛い。また、「鼻毛が見えると、お金が漏れる」との言い伝えがあるため、鼻毛が見えると、切らなければならないし、鼻毛を整えるのはマナーでもある。聞くところによると、日本人男性はヒゲを剃らなくてもいいが、鼻毛を出すのは絶対に禁物であると。鼻毛が見えると、見苦しいだけでなく、だらしない生活をし、物事を処理するのも規律がないように見られる。鼻毛が長すぎると、ハサミで切ることもできるが、すっきり切ることができないため、鼻毛カッターを案出した。
【０００４】
目下市場で販売している手動、電動の鼻毛カッターはいずれも内刃軸が外刃筒に相対して回転して鼻毛を切っている。しかし、内刃軸と外刃筒の頂端に対応する複数の刃にのみ頼る効果は芳しくない。従来の鼻毛カッターを鼻の穴に入れると、まず鼻毛を押してしまい、鼻毛を鼻の穴の壁に貼り付かせてしまう。また、鼻腔がカッターの刃の円周よりやや大きく、更に鼻毛は柔らかくコシがなく、直径方向に向かってピンと伸びていないため、スムーズに鼻毛カッターの刃スリットの間に入ることができず、カットの効果が悪い。また、乾電池によって駆動する鼻毛カッターは、刃或いは構造の設計不良により、多くの問題が残る。使用する際、電力が切れてすぐに買いに行けないとき、また、長時間使用しないと、乾電池から液が漏れて鼻毛カッターを腐蝕して壊してしまう。仮に充電式の鼻毛カッターの場合も、充電するために電源コンセントが必要、或いはモバイル電源を持ち歩かなければならない。様々な状況はいずれもユーザーが不便を感じ、困ることであるため、更なる改善が必要であった。
【先行技術文献】
【特許文献】
【０００５】
【特許文献１】実用新案登録第３１６１４４１号公報
【考案の概要】
【考案が解決しようとする課題】
【０００６】
前記公知構造の欠点を解決するため、本考案の第１の目的は、該鼻毛カッターは一つの外刃筒に間隔を開けてスリットを形成し、刃の後端にそれぞれ凸歯部品を周設する鼻毛カッターの構造を提供することにある。本考案の第２の目的は、外刃筒と内刃軸をペンのような回転構造体に組み合わせる鼻毛カッターの構造を提供することにある。
【課題を解決するための手段】
【０００７】
前記課題を解決するために、本考案は鼻毛カッターの改良構造を提供するものである。本考案の第１の目的は、該鼻毛カッターは一つの外刃筒に間隔を開けてスリットを形成し、刃の後端にそれぞれ凸歯部品を周設する。鼻毛カッターを鼻の穴の中に入れると、鼻毛は凸歯部品を介して立たせ、鼻毛をスムーズにカッターの内刃と外刃のスリット内に導引するため、鼻毛は鼻腔に貼り付けることがなくなる。凸歯部品の周設により、やや外刃の直径を長くなるため、鼻毛と接触する確率も高くなり、それにより鼻毛は内刃軸と外刃筒が互いに対応する内刃と外刃により有効的に切り取られるだけでなく、鼻毛を短く切りすぎることがない。鼻毛を切り取った後は、内刃或いは内スリットと外スリットの間に落ちる。この時、鼻毛カッターの内刃軸の管状体の中心にある毛押出棒を刃の方向に押すだけで、鼻毛を掃除することができる。
【０００８】
本考案の鼻毛カッターの第２の目的は、鼻毛カッターの外刃筒と内刃軸をペンのような回転構造体に組み合わせることができる。該外刃筒、内刃軸、刃シャフトスリーブ、台座及びブラシ台は、組み立てる際には、従来のペン型鼻毛カッターより簡単且つ速い。また、構造上互いに連動する単純な機械タイプであり、操作が簡単、コンパクトで耐久性があり、携帯しやすい。従来の鼻毛カッターのように、内刃軸と外刃筒の本体の中部分と下部分にそれぞれ固定するための環状溝とネジ穴を設けた上に一つのネジで締める必要がない。本考案全体のデザインは、ベアリングを使用していない。内刃軸は尚も外刃筒に相対して簡単に回転することができ、電力を必要としない。使用する際には、片手で刃シャフトスリーブを握り、別の手で軽く台座を回すだけで鼻毛をカットすることができ、省エネで完璧である。
【考案の効果】
【０００９】
本考案は外刃筒に間隔を開けてスリットを形成し、外刃の後端にそれぞれ凸歯部品を周設し、鼻毛は凸歯部品を介して立たせてスムーズに内スリットと外スリット内に入るため、内刃と外刃により鼻毛を切る。内スリットと外スリットの間に落ちた鼻毛は、弾力性のある毛押出棒できれいに取り除くことができ、使用上より完璧である。
【図面の簡単な説明】
【００１０】
【図１】本考案の最良実施例の立体略図(一)である。
【図２】本考案の最良実施例の分解略図(一)である。
【図３】本考案の最良実施例の仰視図である。
【図４】本考案の最良実施例の俯瞰図である。
【図５】本考案の最良実施例の分解略図(二)である。
【図６】本考案の最良実施例の立体略図(二)である。
【考案を実施するための形態】
【００１１】
以下、本考案の構造と特徴および効果を、最良実施例と図面を参照しながら詳細に説明する。
【実施例】
【００１２】
図１、図２、図３及び図４に示すように、本考案の鼻毛カッター１に主に一つの外刃筒１１と一つの内刃軸１２である。該外刃筒１１に間隔を開けて外スリット１１１を形成し、外刃１１０の後端にそれぞれ凸歯部品１１２を周設することにより、前記凸歯部品１１２の表面はニーズに基づき滑らかな表面にすることができ、その滑らかな表面には凸模様や凹模様、或いは凹凸混合模様を形成することもできる。その中で、該外刃筒１１は中空体であり、該中空体内の縦方向は穴１１５である。該内刃軸１２が軸方向に外刃筒１１の穴１１５内に貫設することで、内刃軸１２と外刃筒１１は同じ軸に設置することになり、且つ両者の頂部にある内刃１２１と外刃１１０が互いに対応して設置し、前記内刃軸１２は更に外刃筒１１に相対して回転できる状態を呈す。その中で、二つの相隣する内刃１２１の間と二つの相隣する外刃１１０の間にそれぞれ内スリット１２０及び外スリット１１１を形成する。該内刃軸１２は一つの管状体であり、管状体の中心にリターンスプリング１６を具有する毛押出棒１５を設ける。刃の方向に向かって押すと、内刃１２１の上と内スリット１２０、外スリット１１１に落ちた鼻毛を押し出すことができる。この他、該外刃筒１１の両サイドに位置し、二つの対応するプレス部１３を枢設し、該二つの対応するプレス部１３の間に、底部を広げた状態を維持させるねじりスプリング１４を設ける。各プレス部１３の左右にそれぞれ対応して第１シート本体１３１ａと第２シート本体１３１ｂを形成する。各一つの第２シート本体１３１ｂの下方に開口が下向きの定位溝１３２を形成する。定位溝１３２は半径方向に内刃軸１２に挿設する定位枢軸１２２の両端に架設して定位することができる。また、外刃筒１１の底部に二つの対応する開放式Ｔ字型制限溝１１３を形成し、それに定位枢軸１２２を抵触する。
【００１３】
更に図５及び図６に示すように、本考案の鼻毛カッター１は主に一つの外刃筒１１と一つの内刃軸１２を含み、該外刃筒に１１に間隔を開けて外スリット１１１を形成し、外刃１１０の後端にそれぞれ凸歯部品１１２を周設し、且つ該外刃筒１１は中空体であり、該中空体内の縦方向は穴１１５である。その中で、外刃筒１１の底部に第１固定部１１４を延伸し、第１固定部１１４はニーズに基づき外ねじ山１１４１を周設する。前記内刃軸１２は対応して一つの刃シャフトスリーブ１２４に挿設することで、内刃軸１２の底部に形成する固定凸柱１２５が刃シャフトスリーブ１２４の底端から延伸する。且つ対応して刃シャフトスリーブ１２４に挿設する内刃軸１２は、刃シャフトスリーブ１２４に相対して回転可能な状態を呈する。その中、刃シャフトスリーブ１２４内に第２固定部１２３を設置し、第２固定部１２３はニーズに合わせて内ねじ山１２３１を周設することで、該内刃軸１２が軸方向に外刃筒１１の穴１１５内に貫設する際、外刃筒１１の第１固定部１１４の外ねじ山１１４１は刃シャフトスリーブ１２４の第２固定部１２３の内ねじ山１２３１に対応して螺接することができる。内刃軸１２を軸方向に外刃筒１１の穴１１５内に貫設し、且つ外刃筒１１の第１固定部１１４を刃シャフトスリーブ１２４内に錠止し、それにより内刃軸１２と外刃筒１１は同軸の設置を形成し、且つ両者の頂部にある内刃１２１と外刃１１０も対応して設置する。前記内刃軸１２は更に外刃筒１１に相対して回転できる状態を呈す。該二つの相隣する内刃１２１の間と二つの相隣する外刃１１０の間に、それぞれ内スリット１２０及び外スリット１１１を形成する。本考案の鼻毛カッター１は更に台座１３３を含む。該台座１３３内の上方に固定穴溝１３５を凹設し、刃シャフトスリーブ１２４の底端から延伸して出た内刃軸１２底部の固定凸柱１２５と対応して固定して挿設することで、刃シャフトスリーブ１２４の底端と台座１３３の上端が互いに連接して且つ台座１３３の上端に套設する。前記台座１３３内の固定穴溝１３５の下方にもまた、収納スペース１３３０を形成する。該刃シャフトスリーブ１２４と台座１３３の外径サイズは同じである。本考案の鼻毛カッター１は更にブラシ台１４０を含み、該ブラシ台１４０の形状は四方形、多辺形或いは幾何形状に設けることができる。また、ブラシ台１４０の表面にも花模様或いは図形と文字を増設することができる。前記ブラシ台１４０の上端に外ねじ山の突起本体１４２を延伸して周設し、該突起本体１４２の頂端より上に延伸してブラシ１４１を設置する。ブラシ台１４０の突起本体１４２は台座１３３内の底部に形成する内ねじ山１３０に対応して螺接することで、ブラシ台１４０を台座１３３の底端に錠止する。且つブラシ台１４０のブラシ１４１を台座１３３内部の収納スペース１３３０内に収納する。ユーザーが鼻毛をカットする際、片手で刃シャフトスリーブ１２４を握り、別の手で軽く台座１３３を回すだけで、内刃軸１２を外刃筒１１に相対して回転させることができ、それにより内刃軸１２の頂部の内刃１２１も外刃筒１１の外刃１１０に相対して回転するため、鼻毛をカットする機能に達する。また、外刃筒１１はニーズに合わせて簡単に回転して刃シャフトスリーブ１２４と内刃軸１２を離すことができ、便利に切り取られた毛を掃除することができる。更に回転して螺接すれば、再び刃シャフトスリーブ１２４に錠止して組み合わせることができる。本考案の内刃軸１２はニーズに合わせて一つの電動駆動装置と連結することができ、それにより内刃軸１２が駆動装置の制御を受けて素早く回転することができ、鼻毛を切り取るスピードと量を上げることができる。
【００１４】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１５】
１  鼻毛カッター
１１  外刃筒
１１０  外刃
１１１  外スリット
１１２  凸歯部品
１１３  Ｔ字型制限溝
１１４  第１固定部
１１４１  外ねじ山
１１５  穴
１２  内刃軸
１２０  内スリット
１２１  内刃
１２２  定位枢軸
１２３  第２固定部
１２３１  内ねじ山
１２４  刃シャフトスリーブ
１２５  固定凸柱
１３  プレス部
１３０  内ねじ山
１３１ａ  第１シート本体
１３１ｂ  第２シート本体
１３２  定位溝
１３３  台座
１３３０  収納スペース
１３５  固定穴溝
１４  ねじりスプリング
１４０  ブラシ台
１４１  ブラシ
１４２  突起本体
１５  毛押出棒
１６  リターンスプリング
【図１】
0003201123.tif 000003
【図２】
0003201123.tif 000004
【図３】
0003201123.tif 000005
【図４】
0003201123.tif 000006
【図５】
0003201123.tif 000007
【図６】
0003201123.tif 000008